(57)【要約】【課題】負イオン放出口を容易に判別でき、かつ針金等の異物の侵入から安全性を確保できるようにした、負イオン発生機器を提供することを目的とする。【解決手段】送風装置２に連通して本体３の上面に設けた格子状の上段吹出口５と下段吹出口６からなる段付き吹出口１０と、上段吹出口５の下方に設けた負イオン発生ユニット７と、本体３を覆う蓋９を設け、この蓋９の一部にスリット状の格子窓９ａを設け、この格子窓９ａを上段吹出口５の上部に載置したことにより、安全性を確保することができ、また、負イオンの放出口を容易に判別することができる負イオン発生機器が得られる。【選択図】　図１
2004044903.tif 000002
【特許請求の範囲】
【請求項１】
本体内部に設けた送風装置に連通して本体の上面に上方に吹出す格子窓を備えた上段吹出口および下段吹出口からなる段付き吹出口を設け、前記上段吹出口の下方に負イオンを発生する高圧イオン発生部を収納した負イオン発生機器。
【請求項２】
高圧イオン発生部の負イオン発生方向を下段吹出口方向に設け、下段吹出口からも負イオンを放出可能とした請求項１記載の負イオン発生機器。
【請求項３】
本体を覆う蓋を設け、この蓋の一部に上段吹出口の格子窓とは異なる形状の第２の格子窓を設け、この開口部を上段吹出口の上部に重ねて載置した請求項１記載の負イオン発生機器。
【発明の詳細な説明】
【０００１】
【発明の属する技術分野】
本発明は、負イオンを発生する負イオン発生機器に関する。
【０００２】
【従来の技術】
従来、この種の負イオン発生機器の一例として特開２００２−９８３７１号公報に記載されたものが知られている。以下、その負イオン発生機器について、図４を参照しながら説明する。
【０００３】
図に示すように、本体１０１の下方に送風機１０２と、空気流路１０３とこの空気流路と併設するように負イオン発生室１０４を設け、この負イオン発生室内に高圧電源（図示せず）に接続された負イオン発生電極１０５を収容し、天面に空気流路１０３からの吹出口１０６と負イオン発生室１０４からの吹出口１０７を設けている。
【０００４】
上記構成において、本体１０１内に吸い込まれた空気は、送風機１０２によって空気流路１０３と負イオン発生室に送風され、吹出口１０６から本体外へ放出され、吹出口１０７からは負イオンを含む空気が本体外へ放出される。
【０００５】
【発明が解決しようとする課題】
このような従来の負イオン発生機器では、負イオン発生電極１０５は吹出口１０７の近傍にあり、運転中に針金等の異物が挿入されると感電する危険性があり、異物の挿入を防ぐために吹出口１０７に遮蔽物を設けると負イオンが発生し難いという課題があり、負イオンの発生を損なうことなく安全を確保できることが要求されている。
【０００６】
また、機器から負イオンを発生しているかどうか、また負イオンが発生しているとしても吹出口のどの部位から発生しているのか使用者は判別し難いという課題があり、負イオンの発生の有無およびその発生場所が外観から容易に判別することが要求されている。
【０００７】
本発明は、このような従来の課題を解決するものであり、負イオンの発生を損なわず吹出口での感電を防止することができ、また、負イオン発生の有無とその発生場所を容易に判別することができる負イオン発生機器を提供することを目的としている。
【０００８】
【課題を解決するための手段】
本発明の負イオン発生機器は上記目的を達成するために、本体内部に設けた送風装置に連通して本体の上面に上方に吹出す格子窓を備えた上段吹出口および下段吹出口からなる段付き吹出口を設け、前記上段吹出口の下方に負イオンを発生する高圧イオン発生部を収納したものである。
【０００９】
本発明によれば、負イオンの発生を損なわずに吹出口での感電を防止することができ、また、負イオンの放出口を容易に判別することができる負イオン発生機器が得られる。
【００１０】
【発明の実施の形態】
本発明は、本体内部に設けた送風装置に連通して本体の上面に上方に吹出す格子窓を備えた上段吹出口および下段吹出口からなる段付き吹出口を設け、前記上段吹出口の下方に負イオンを発生する高圧イオン発生部を収納したものであり、上段吹出口が主に負イオンを放出する吹出口であることを段付形状で表示できるとともに、上段吹出口を突き出すことにより、負イオン発生装置と格子窓との安全距離を確保し、安全性を高めるという作用を有する。
【００１１】
また、高圧イオン発生部の負イオン発生方向をを下段吹出口の上方向に設け、下段吹出口からも負イオンを放出可能としたものであり、発生した負イオンの一部が下段吹出口へ誘引されることにより、負イオンを上段吹出口と下段吹出口の両方から放出できるという作用を有する。
【００１２】
また、本体を覆う蓋を設け、この蓋の一部に上段吹出口の格子窓とは異なる形状の第２の格子窓を設け、この第２の格子窓を前記上段吹出口の上部に重ねて載置したものであり、本体に蓋を取り付けることにより、運転時に蓋の第２の格子窓と上段吹出口の格子窓が異なる形状で重なるため、針金等の異物が侵入し難くなるという作用を有する。
【００１３】
以上本発明の実施例について図面を参照しながら説明する。
【００１４】
【実施例】
（実施例１）
図１〜図３に示すように、加湿機本体３の内部に加湿装置（図示せず）と送風装置２が設けられ、加湿機本体３の天面に送風装置２と連通した格子形状の上段吹出口５と下段吹出口６からなる段付き吹出口１０が設けられている。上段吹出口５の下方には負イオン発生ユニット７の高圧イオン発生部８収納され、上段吹出口５の格子窓５ａと安全な空間距離を保って設けられている。また上段吹出口５の開口面積を下段吹出口６の開口面積より小としている。また高圧イオン発生部８は針状先端部８ａより負イオンを発生するもので、針状先端部８ａの向きは下段吹出口６の方向に設定されている。
【００１５】
そして、加湿機本体３を覆う蓋９が設けられ、この蓋９の一部にはスリット状の第２の格子窓９ａが設けられ、第２の格子窓９ａは上段吹出口５に重ねて載置される。蓋９の第２の格子窓９ａは上段吹出口５の格子窓５ａと格子形状が異なる構成としている。
【００１６】
上記構成において、使用者が加湿機本体３の機能を知覚するときは、吹出口が段付き吹出口１０であるため、２種類の性質の異なる風が吹出されることが外観で判別でき、また付加機能である負イオンの発生が開口面積小なる上段吹出口５からなされることが容易に理解できる。
【００１７】
加湿機本体３を運転すると、送風装置２により吸気口１から吸気された室内の空気は空気流路４を通り加湿装置で加湿されたあと、上段吹出口５と下段吹出口６から放出される。このとき負イオン発生ユニット７の高圧イオン発生部８から負イオンが放射され、上段吹出口５に流れる空気へ負イオンが供給され、上段吹出口５から負イオンを含む加湿空気が吹出される。
【００１８】
また高圧イオン発生部８は下段吹出口６の方向に向けられているので、負イオンの一部は下段吹出口６まで運ばれ、負イオンを含む空気は下段吹出口６からも放出され、室内へ放散されることとなる。したがって、高圧イオン発生部８から発生する全ての負イオンは上段吹出口５と下段吹出口６から漏れなく吹出されることになり、吹出口が異形な段付きとしても効率的に負イオンを発生することができる。
【００１９】
このように、加湿機本体３の内部に送風装置２を設け、加湿機本体３の天面に送風装置２と連通した格子状の上段吹出口５と下段吹出口６からなる段付き吹出口１０設け、上段吹出口５の下方には高圧イオン発生部８を配設したので、段付き吹出口１０の上段吹出口５が負イオンを発生する吹出口であることが目視で認知できるとともに、下段吹出口６より上段吹出口５の格子窓５ａを高くすることにより、高圧イオン発生部８との安全距離を確保し、異物挿入などに対して安全性を保つことができる。
【００２０】
また、加湿機本体３を覆う蓋９の一部にはスリット状の第２の格子窓９ａが設けられ、第２の格子窓９ａは上段吹出口５の格子窓５ａの上部に載置される。このとき上段吹出口５の格子窓と第２の格子窓９ａが異なる形状で重なるため、針金等の異物が侵入し難くなり、さらに安全性を高めることができる。
【００２１】
なお、本実施例では負イオン発生機器の本体３を加湿機としたが、冷暖房機器、空気清浄機、除湿機、乾燥機などの空調機器類を本体３としてもよく、その作用効果に差異を生じない。
【００２２】
【発明の効果】
以上の実施例から明らかなように、本発明によれば本体内部に設けた送風装置に連通して本体の上面に上方に吹出す格子窓を備えた上段吹出口および下段吹出口からなる段付き吹出口を設け、前記上段吹出口の下方に負イオンを発生する高圧イオン発生部を収納したので、上段吹出口が負イオンを発生する吹出口であることが目視で容易に認知できるとともに、段付にして吹出口を高くすることにより、負イオン発生装置と格子窓との安全距離を確保し、異物の挿入などに対して安全性を保つことができる。
【００２３】
また、高圧イオン発生部の負イオン発生方向を下段吹出口方向に設けたので、上段吹出口だけでなく下段吹出口からも負イオンを含む空気が放出され、吹出口が段付であっても負イオンの発生量を減らすことなく吹出すことができる。
【００２４】
また、本体を覆う蓋を設け、この蓋の一部に上段吹出口の格子窓とは異なる形状の第２の格子窓を設け、この開口部を上段吹出口の上部に重ねて載置しているので、各格子窓が異なる形状で重なるため、針金等の異物が侵入し難くなり、さらに安全性を高めることができる。
【図面の簡単な説明】
【図１】本発明の実施例１の負イオン発生機器の断面図
【図２】同実施例の負イオン発生機器の外観斜視図
【図３】（イ）同段付き吹出口と蓋の平面図
（ロ）同蓋の取付時の平面図
【図４】従来の負イオン発生機器の断面図
【符号の説明】
２　　　　　　送風装置
３　　　　　　加湿機本体
５　　　　　　上段吹出口
５ａ　　格子窓
６　　　　　　下段吹出口
８　　　　　　高圧イオン発生部
９　　　　蓋
９ａ　　　第２の格子窓
１０　　　段付き吹出口
【図１】
2004044903.tif 000003
【図２】
2004044903.tif 000004
【図３】
2004044903.tif 000005
【図４】
2004044903.tif 000006